(57)【要約】      （修正有）【課題】携帯できてカードを便利に保存できると共に、ＵＳＢ部を応用してデータを保存でき、同時に、紛失する状況を減らすことができるＵＳＢメモリを有するカード保護ケースを提供する。【解決手段】ＵＳＢメモリ付きカード保護ケース１０は、保護ケースの頂側にカードの頂側を嵌入する二つのスナップ部材１が設けられ、スナップ部材の間にカードの頂側を支え、且つ凹ノッチ２１を有するエジェクタブロック２が設けられ、保護ケース及びスナップ部材に対応する底側に、スナップ部材の方向に伸びるストッパー３が設けられ、且つ保護ケースの頂側以外の少なくとも一側にそれぞれ少なくとも一つのＵＳＢ部４が設けられる。【選択図】図１
0003193328.tif 000002
【実用新案登録請求の範囲】
【請求項１】
保護ケースの頂側にカードの頂側を嵌入する二つのスナップ部材が設けられ、当該スナップ部材の間に当該カードの頂側を支え、且つ凹ノッチを有するエジェクタブロックが設けられ、当該保護ケース及び当該スナップ部材に対応する底側に、当該スナップ部材の方向に伸びるストッパーが設けられ、且つ当該保護ケースの頂側以外の少なくとも一側にそれぞれに少なくとも一つのUSB部が設けられる、ことを特徴とするUSBメモリ付きカード保護ケース。
【請求項２】
前記保護ケースが前記USB部に対応する箇所に、さらに切欠部が含まれ、且つ当該保護ケースは底板と、
当該底板に対応する開口部と、
当該底板と当該開口部との間に設けられる容置空間と、
当該底板の両側にそれぞれに設けられる左枠部及び右枠部と、
当該底板の底側に設けられ、当該左枠部と当該右枠部との間に位置される底枠部から組成される、ことを特徴とする請求項1に記載のUSBメモリ付きカード保護ケース。
【請求項３】
前記USB部は、前記底板の表面に凸設され、前記切欠部に位置され、且つ当該切欠部との間に容置槽を成形する凸壁と、
当該容置槽に設けられる枢接軸と、
当該容置槽に設けられ、当該枢接軸に左右に枢動するように枢接され、且つ凹槽を有する担体と、
当該凹槽に設けられるプリント基板と、
当該凸壁の頂端部に設けられるカバー体から組成される、ことを特徴とする請求項2に記載のUSBメモリ付きカード保護ケース。
【請求項４】
前記担体の一端部に二つの位置決め槽を有し、当該位置決め槽の間にスライド槽が成形され、前記凸壁が当該スライド槽に対応する箇所に、さらに位置決めブロックが設けられる、ことを特徴とする請求項3に記載のUSBメモリ付きカード保護ケース。
【請求項５】
前記底板の表面に、前記スナップ部材と前記左枠部及び右枠部との間に、さらに前記切欠部の方向に伸び、前記カードを支えるためのリブがそれぞれに設けられる、ことを特徴とする請求項2に記載のUSBメモリ付きカード保護ケース。
【請求項６】
前記保護ケースには、さらにストラップホールが含まれ、当該ストラップホールにさらに装飾物が設けられ、当該ストラップホールが下に列挙した箇所：
前記左枠部の外側面、前記右枠部の外側面、前記底枠部の外側面
の一つに設けられる、ことを特徴とする請求項2に記載のUSBメモリ付きカード保護ケース。
【請求項７】
前記底板の表面に縦横に交錯して連接し、数個の格子状槽を成形する数条の前記リブが設けられ、その中に、前記切欠部に対応する一つのリブの表面に使用者は前記USB部を引き出すようにするノッチが設けられ、前記USB部は、当該切欠部に前後に回転するように軸設され、且つ前記凹槽を有する前記担体と、当該凹槽に設けられる前記プリント基板から組成される、ことを特徴とする請求項2に記載のUSBメモリ付きカード保護ケース。
【考案の詳細な説明】
【技術分野】
【０００１】
本考案は、カードの保護構造に関し、特にUSBメモリ付きカード保護ケースに関するものである。
【背景技術】
【０００２】
電子工学及び情報技術が飛躍的に進歩する時代に、様々なものが電子化されて設計や製作され、例えば、交易や商売に使用される金銭や貨幣が、クレジットカードやデビットカード（以下、単に「カード」という）で取って代わられ、現金で買い物する必要がなく、且つ現金を持つ時に紛失するや盗まれる危険を避けるようになり、また、乗り物に乗る時に悠遊カードでチャージして支払いをし、大量な小銭を持つトラブルと不便さがなくなり、ソフト化時代が来る時、プラスチックマネーであるカードの使用により、現金の交易が取って代わられることができ、人々にいろいろな便利さや快適さをもたらす。
【考案の概要】
【考案が解決しようとする課題】
【０００３】
しかし、プラスチックマネーであるカードを使用することがとても便利だが、プラスチックマネーであるカードは滑らかな表面を有するので、人々はさまざまなカードをカード保護ケースに入れる必要がある。この保護ケースにに入れることにより、人々は支払いや金を引き出すことや身分を証明するなどの作業を行う時に、カードの滑らかな表面で、使用者は注意しない状況にカードが滑って落ち、カードの表面が摩損されることをさせない。
【０００４】
だが、従来からあるカード保護ケースは使用者がカードを携帯する及びカードが滑って落ちることを減らすだけで、他の機能を持たないので、伝統的なカード保護ケースの機能が単純で、他の機能がない。
【０００５】
そこで、上記の問題点に対して、携帯できてカードを便利に保存し、且つUSBメモリを有するカード保護ケースを開発することが本考案の課題となる。
【０００６】
本考案は、携帯できてカードを便利に保存し、且つUSBメモリを有するカード保護ケースを提供することを目的とする。
【課題を解決するための手段】
【０００７】
前記問題点を解決でき、上記目的を達成するために、本考案のUSBメモリ付きカード保護ケースは、保護ケースの頂側にカードの頂側を嵌入する二つのスナップ部材が設けられ、当該スナップ部材の間に当該カードの頂側を支え、且つ凹ノッチを有するエジェクタブロックが設けられ、当該保護ケース及び当該スナップ部材に対応する底側に、当該スナップ部材の方向に伸びるストッパーが設けられ、且つ当該保護ケースの頂側以外の少なくとも一側にそれぞれに少なくとも一つのUSB部が設けられる、ことを特徴とする。
【０００８】
前記保護ケースが前記USB部に対応する箇所に、さらに切欠部が含まれ、且つ当該保護ケースは底板と、当該底板に対応する開口部と、当該底板と当該開口部との間に設けられる容置空間と、当該底板の両側にそれぞれに設けられる左枠部及び右枠部と、当該底板の底側に設けられ、当該左枠部と当該右枠部との間に位置される底枠部から組成されることが好ましい。
【０００９】
前記USB部は、前記底板の表面に凸設され、前記切欠部に位置され、且つ当該切欠部との間に容置槽を成形する凸壁と、当該容置槽に設けられる枢接軸と、当該容置槽に設けられ、当該枢接軸に左右に往復枢動するように枢接され、且つ凹槽を有する担体と、当該凹槽に設けられるプリント基板と、当該凸壁の頂端部に設けられるカバー体から組成されることが好ましい。
【００１０】
前記担体の一端部に二つの位置決め槽を有し、当該位置決め槽の間にスライド槽が成形され、前記凸壁が当該スライド槽に対応する箇所に、さらに位置決めブロックが設けられることが好ましい。
【００１１】
前記底板の表面に、前記スナップ部材と前記左枠部及び右枠部との間に、さらに前記切欠部の方向に伸び、前記カードを支えるためのリブがそれぞれに設けられることが好ましい。
【００１２】
前記保護ケースには、さらにストラップホールが含まれ、当該ストラップホールにさらに装飾物が設けられ、当該ストラップホールが下に列挙した箇所：前記左枠部の外側面、前記右枠部の外側面、前記底枠部の外側面の一つに設けられることが好ましい。
【００１３】
前記底板の表面に縦横に交錯して連接し、数個の格子状槽を成形する数条の前記リブが設けられ、その中に、前記切欠部に対応する一つのリブの表面に使用者は前記USB部を引き出すようにするノッチが設けられ、前記USB部は、当該切欠部に前後に回転するように軸接され、且つ前記凹槽を有する前記担体と、当該凹槽に設けられる前記プリント基板から組成されることが好ましい。
【考案の効果】
【００１４】
本考案は、従来の技術と比べて、次に列挙する効果がある。
【００１５】
(1)主に軽くて薄い保護ケースのデザイン及びUSB部によってUSBメモリを有するカード保護ケースが組成され、カードの保護機能を有すると共に、USBコネクタとしての機能を有し、使用者は外出する時に保護ケースで便利にカードを保存できる以外に、USB部を応用してデータを保存でき、同時に、USB部と保護ケースとの組み合わせで、身に配帯することによって紛失する状況を減らすようになる。
【００１６】
(2)使用者は携帯するカードを容置空間に入れ、スナップ部材及びストッパーの組み合わせにより、カードを容置空間に固定させ、カードが紛失するや落ちることを避け、且つ保護ケースの前端が開口部であるので、使用者はカードを取り出さないままで直接に使用でき、とても便利である。
【００１７】
(3)容置槽及び格子状槽の応用で、USB部に最適な収納位置を提供し、携帯する過程に、紛失しなくてプリント基板を損壊せず、且つ使用する過程に、USB部を直接に回転や回動させて使用する便利な操作機能を提供するので、便利な収納及び使用操作の効果を兼備する。
【図面の簡単な説明】
【００１８】
【図１】本考案を示す斜視図
【図２】本考案を示す分解図
【図３】本考案の実施形態でカードを収納する状態を示す斜視図
【図４】本考案の実施形態でカードを収納し終わった状態を示す斜視図
【図５】本考案に係るUSB部が右枠部に設けられる状態を示す斜視図
【図６】本考案に係るUSB部が右枠部に設けられる実施状態を示す図
【図７】本考案のもう一つの実施形態を示す図
【図８】本考案と本考案係る装飾物との組み合わせの実施形態を示す図
【考案を実施するための形態】
【００１９】
以下、本考案の実施の形態について、図面を参照して詳細に説明する。
【００２０】
図1に示すように、本考案のUSBメモリ付きカード保護ケースは、保護ケース10の頂側にカード100の頂側を嵌入する二つのスナップ部材1が設けられ、当該スナップ部材1の間に当該カード100の頂側を支え、且つ凹ノッチ21を有するエジェクタブロック2が設けられ、当該保護ケース10及び当該スナップ部材1に対応する底側に、当該スナップ部材1の方向に伸びるストッパー3が設けられ、且つ当該保護ケース10の頂側以外の少なくとも一側にそれぞれに少なくとも一つのUSB部4が設けられることを特徴とする。これで、保護ケース10とUSB部4との組み合わせで、カードの保護機能を有すると共に、USBコネクタとしての機能を有し、使用者は外出する時に保護ケース10で便利にカードを保存できる以外に、USB部4を応用してデータを保存でき、同時に、USB部4と保護ケース10との組み合わせで、身に配帯することで紛失する状況を減らすようになる、ことを特徴とする。
【００２１】
図2及び図3に示すように、前記保護ケース10が前記USB部4に対応する箇所に、さらに切欠部5が含まれ、且つ当該保護ケース10は底板101と、当該底板101に対応する開口部102と、当該底板101と当該開口部102との間に設けられる容置空間103と、当該底板101の両側にそれぞれに設けられる左枠部104及び右枠部105と、当該底板101の底側に設けられ、当該左枠部104と当該右枠部105との間に位置される底枠部106から組成され、当該USB部4は、当該底板101の表面に凸設され、当該切欠部5に位置され、且つ当該切欠部5との間に容置槽411を成形する凸壁41と、当該容置槽411に設けられる枢接軸42と、当該容置槽411に設けられ、当該枢接軸42に左右に往復枢動するように枢接され、且つ凹槽431を有する担体43と、当該凹槽431に設けられるプリント基板44と、当該凸壁41の頂端部に設けられるカバー体45から組成される。
【００２２】
その中に、使用者は携帯するカード100を容置空間103に入れ、スナップ部材1及びストッパー3の組み合わせにより、カード100を容置空間103に固定させ、カード100が紛失するや落ちることを避け、且つ保護ケース10の前端が開口部102であるので、使用者はカード100を取り出さないままで直接に使用でき、とても便利である。
【００２３】
また、容置槽411を応用することで、USB部4に最適な収納位置を提供し、携帯する過程に、紛失しなくてプリント基板44を損壊しなく、且つ使用する過程に、USB部4を直接に回動させて使用する便利な操作機能を提供するので、便利な収納及び使用操作の効果を兼備する。
【００２４】
前記担体43の一端部に二つの位置決め槽432を有し、当該位置決め槽432の間にスライド槽433が成形され、前記凸壁41が当該スライド槽433に対応する箇所に、さらに位置決めブロック412が設けられる。これで、当該担体43が回動されて前記容置槽411から滑り出される時に、前記保護ケース10との角が90度になるように位置決めされ、当該USB部4の角度をハードウェアのUSBコネクタに挿入できる角度に合うようにする。
【００２５】
図4に示すように、前記底板101の表面に、前記スナップ部材1と前記左枠部104及び前記右枠部105との間に、さらに前記切欠部5の方向に伸び、前記カード100を支えるためのリブ6がそれぞれに設けられる。
【００２６】
その中に、前記リブ6の応用により、前記カード100の頂側が前記スナップ部材1と当該リブ6との間にきつくて挟まれ、カードの位置が固定されるようになり、カード100が外れることを避ける。
【００２７】
図5及び図6に示すように、前記USB部4が前記右枠部105に設けられ、実施される時に制限されることが無く、当該右枠部105以外に、USB部が前記左枠部104や前記底枠部106やその交差箇所に設けられてもよく、ただどうやって設けられても、それはすべて本考案の範囲に含まれるものである。
【００２８】
図7に示すように、前記底板101の表面に縦横に交錯して連接し、数個の格子状槽61を成形する数条の前記リブ6が設けられ、その中に、前記切欠部5に対応する一つのリブ6の表面に使用者は前記USB部4を引き出すようにするノッチ62が設けられ、前記USB部4は、当該切欠部5に前後に回転するように軸設され、且つ前記凹槽431を有する前記担体43と、当該凹槽431に設けられる前記プリント基板44から組成される。
【００２９】
その中に、前記USB部4が前記切欠部5に軸接されて完成し、他の固定部材で固定される必要が完全にないので、構成部材が単純で組立作業が速くて便利であり、且つ指で簡単に前記ノッチ62から当該USB部4を回転して引き出すだけで使用でき、使用することがとても便利である。
【００３０】
また、前記底板101の表面に縦横に交錯して連接する数条の前記リブ6が設けられるデザインにより、前記保護ケース10の構造強度が強化でき、従って当該保護ケース10が変形しないようにし、他に、当該リブ6によってカード100の頂側及び底側が前記スナップ部材1及びストッパー3にきつく挟まれ、カードの位置が固定され、カード100が外れないようになる。
【００３１】
図8に示すように、前記保護ケース10には、さらにストラップホール107が含まれ、当該ストラップホール107にさらに装飾物7が設けられ、当該ストラップホール107が下に列挙した箇所：前記左枠部104の外側面、前記右枠部105の外側面、前記底枠部106の外側面の一つに設けられる。
【００３２】
その中に、使用者は前記ストラップホール107に、前記装飾物7を添設でき、例えばキーホルダーやストラップなどで、外観全体の美しさが高められ、さらに判別用として使用でき、同時に使用者の個人特徴が強調できる。
【００３３】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００３４】
1    スナップ部材                5    切欠部
2    エジェクタブロック          6    リブ
21   凹ノッチ                    61   格子状槽
3    ストッパー                  62   ノッチ
4    USB部                       7    装飾物
41   凸壁                        10   保護ケース
411  容置槽                      101  底板
412  位置決めブロック            102  開口部
42   枢接軸                      103  容置空間
43   担体                        104  左枠部
431  凹槽                        105  右枠部
432  位置決め槽                  106  底枠部
433  スライド槽                  107  ストラップホール
44   プリント基板                100  カード
45   カバー体
【図１】
0003193328.tif 000003
【図２】
0003193328.tif 000004
【図３】
0003193328.tif 000005
【図４】
0003193328.tif 000006
【図５】
0003193328.tif 000007
【図６】
0003193328.tif 000008
【図７】
0003193328.tif 000009
【図８】
0003193328.tif 000010